(57)【要約】【課題】  建築物の間取図から誤り無く必要部材を拾い出すことを可能とする。【解決手段】  建築物の間取り図を作成する作図手段と、前記作図手段により作成された間取り図中の各辺に対して属性を設定する属性設定手段と、部材引当の条件とその条件に対応した部材の情報を記憶する部材引当ルール記憶部と、前記作図手段で作成した間取り図及び前記属性設定手段により設定された属性を基に、前記部材引当ルール記憶部を参照して、必要な部材を読み出す部材拾い出し手段と、を備える。【選択図】        図１
2005056248.tif 000002
【特許請求の範囲】
【請求項１】
建築物の間取り図を作成する作図手段と、
前記作図手段により作成された間取り図中の各辺に対して属性を設定する属性設定手段と、
部材引当の条件とその条件に対応した部材の情報を記憶する部材引当ルール記憶部と、
前記作図手段で作成した間取り図及び前記属性設定手段により設定された属性を基に、前記部材引当ルール記憶部を参照して、必要な部材を読み出す部材拾い出し手段と、
を備えることを特徴とする部材手配支援装置。
【請求項２】
請求項１に記載の部材手配支援装置において、
前記部材引当ルール記憶部は、部材の数量を計算するための計算式を記憶し、
前記部材拾い出し手段は、前記部材引当ルール記憶部から読み出した計算式及び前記間取り中の各辺の寸法に従って、部材の必要数量を計算することを特徴とする部材手配支援装置。
【請求項３】
建築物の間取り図を作成する作図ステップと、
前記作図ステップにより作成された間取り図中の各辺に対して属性を設定する属性設定ステップと、
前記作図ステップで作成した間取り図及び前記属性設定ステップにより設定された属性を基に、部材引当の条件とその条件に対応した部材の情報を記憶する部材引当ルール記憶部を参照して、必要な部材を読み出す部材拾い出しステップと、
を備えることを特徴とする部材手配支援方法。
【請求項４】
請求項３に記載の部材手配支援方法において、
前記部材引当ルール記憶部は、部材の数量を計算するための計算式を記憶し、
前記部材拾い出しステップは、前記部材引当ルール記憶部から読み出した計算式及び前記間取り中の各辺の寸法に従って、部材の必要数量を計算することを特徴とする部材手配支援方法。
【請求項５】
建築物の間取り図を作成する作図ステップと、
前記作図ステップにより作成された間取り図中の各辺に対して属性を設定する属性設定ステップと、
前記作図ステップで作成した間取り図及び前記属性設定ステップにより設定された属性を基に、部材引当の条件とその条件に対応した部材の情報を記憶する部材引当ルール記憶部を参照して、必要な部材を読み出す部材拾い出しステップと、
を備えることを特徴とする部材手配支援方法をコンピュータに実行させるためのプログラム。
【請求項６】
請求項５に記載のプログラムにおいて、
前記部材引当ルール記憶部は、部材の数量を計算するための計算式を記憶し、
前記部材拾い出しステップは、前記部材引当ルール記憶部から読み出した計算式及び前記間取り中の各辺の寸法に従って、部材の必要数量を計算することを特徴とするプログラム。
【発明の詳細な説明】
【技術分野】
【０００１】
本発明は、建築物の建築に必要な部材を手配するための部材手配支援装置及びその方法に関する。
【背景技術】
【０００２】
建築資材メーカの担当者は、建築メーカから受け取った間取図（紙／電子データ）を参照して、自社が担当する部位の認識をする。また、その部位にどのような部材が必要なのか、またどの程度の数量が必要なのかをマニュアルなどを参照して拾い出し作業を実施していた。また、現場での作業を考慮した場合、数量として若干の余裕が必要であったが、経験で係数を考慮していた。
【特許文献１】特開平０６−１４９９４７号公報
【特許文献２】特開平０８−１６１３７２号公報
【特許文献３】特開平１１−２５９５４７号公報
【特許文献４】特開２００１−３５０８０７号公報
【発明の開示】
【発明が解決しようとする課題】
【０００３】
上述の方法で建築資材メーカの担当者が自社が供給するべき部材を拾い出すと、誤りを皆無とすることが困難であった。
【０００４】
本発明は、建築物の間取図から誤り無く必要部材を拾い出すことを可能とするＣＡＤ利用による部材手配支援装置を提供することを目的とする。
【課題を解決するための手段】
【０００５】
本発明によれば、建築物の間取り図を作成する作図手段と、前記作図手段により作成された間取り図中の各辺に対して属性を設定する属性設定手段と、部材引当の条件とその条件に対応した部材の情報を記憶する部材引当ルール記憶部と、前記作図手段で作成した間取り図及び前記属性設定手段により設定された属性を基に、前記部材引当ルール記憶部を参照して、必要な部材を読み出す部材拾い出し手段と、を備えることを特徴とする部材手配支援装置が提供される。
【０００６】
上記の部材手配支援装置において、前記部材引当ルール記憶部は、部材の数量を計算するための計算式を記憶し、前記部材拾い出し手段は、前記部材引当ルール記憶部から読み出した計算式及び前記間取り中の各辺の寸法に従って、部材の必要数量を計算してもよい。
【発明の効果】
【０００７】
第１の効果は、ＣＡＤを使い視覚的な操作を行なうことだけで、部材の拾い出しにおけるミスを防止できることである。また、誰でもマニュアルなしで同じ結果を出力することが可能となる。
【０００８】
その理由は、部材の拾い出しルールをデータベース化し、図形の情報からそのデータベースを検索するためである。
【０００９】
第２の効果は、ＣＡＤの図形に対して、属性を設定し、その属性の組み合わせや図形の長さ、面積などから必要な部材の拾い出しが可能なことである。
【００１０】
第３の効果は、ＣＡＤを使うことで図形の修正や属性の修正が可能となり、何度も繰り返し処理ができる点。である。
【００１１】
第４の効果は、建築メーカが扱っている規格商品などでは、過去の同じＣＡＤ図面を利用できる点である。
【発明を実施するための最良の形態】
【００１２】
本発明は、建築物の間取図（紙面で表されるもの又は電子データで表されるもの）から資材メーカ独自の部材の拾い出しをする作業において、ＣＡＤを操作することで部材の拾い出しから、見積書・部材手配書を出力する装置である。
【００１３】
図１において、入力装置１から建築物の間取り図に従い、操作者が入力作業を行なう。データ処理装置２では入力装置１で入力された建築物の間取り図データに対してデータ処理を行なう。作図手段２１では、図形の作図処理を行う。例えば、建築物の間取り図データにバルコニーが存在していた場合、バルコニーの図形を作図する。属性設定手段２２では、作図手段２１で作図された図形の各辺に対しての属性設定を行なう。また、属性設定手段２２では、例えば、バルコニーの周囲の辺をグループ化し、バルコニーの１つの辺が選択されると共に周囲の辺の総長を求めようとする操作が行われたときに、グループ化された全ての辺の長さの合計が計算されるようにし、また、バルコニーの１つの辺が選択されると共にバルコニーの面積を求めようとする操作が行われたときに、グループ化された全ての辺のうちの必要なものを用いて面積が計算されるようにする。バルコニーの場合には、躯体に接する側（居室側）と外壁側で異なる属性を設定することで異なる部材の拾い出しを可能としている。部材拾い出し手段２３では、作図手段２１、属性設定手段２２で作成したデータから必要な情報を認識し、部材引当ルール３１を検索することで、必要な部材を読み出す。部材引当ルール記憶部３１は、部材引当の条件（メーカ区分、建築タイプ、部位など）とその条件に対応した部材の情報（計算方法、係数など）を図４に示す部材引当ルールテーブルに記憶している。この結果、建築物の間取図（紙／電子データ）から視覚的な操作を行なうことだけで、資材メーカ独自の部材を拾い出しすることを可能とする。部材引当ルールテーブルを参照することにより、例えば、バルコニーが選択されたならば、どこのメーカのどの部品コードの部品をどれだけの数量必要であるかがわかるようになる。例えば、バルコニーが選択されたならば、部品コードＸＸＸで表される部品は、バルコニーの面積に係数１．１を掛けた数量必要であり、部品コードＹＹＹで表される部品は、バルコニーの外周に係数０．９を掛けた数量が必要であることがわかる。
【００１４】
図１を参照すると、本実施形態は、キーボード・マウスなどの入力装置１と、プログラム制御により動作するデータ処理装置２と、情報を記憶する記憶装置３とディスプレイ装置や印刷装置等の出力装置４とを含む。
【００１５】
記憶装置３は、部材引当ルール記憶部３１を備えている。
【００１６】
部材引当ルール記憶部３１は、部材引当の条件（メーカ区分、建築タイプ、部位など）とその条件に対応した部材の情報（計算方法、係数など）の部材引当ルールテーブルをあらかじめ記憶している。
【００１７】
データ処理装置２は、作図手段２１と、属性設定手段２２と、部材拾い出し手段２３を備える。
【００１８】
作図手段２１は、入力装置１で入力された建築物の間取り図データに従い、図形の作図を行なう。
【００１９】
属性設定手段２２は、作図手段２１で作図した図形の各辺に対して、属性の設定を行なう。
【００２０】
部材拾い出し手段２３は、作図手段２１と属性設定手段２２の情報から、部材引当ルール記憶部３１に記憶された部材拾い出し情報を検索し、拾い出し結果を出力装置４へメッセージ等として表示する。
【００２１】
次に、図１及び図２を参照して本実施形態の動作について説明する。
【００２２】
入力装置１から建築物の間取り図データを入力する。作図手段２１は、指定された入力に従い、図形の作図処理を行う。例えば、矩形のバルコニーを作図する場合、矩形の４隅指示あるいは座標値を入力することにより、４辺で構成される矩形が作図される。属性設定手段２２は、作図手段２１で作図された図形の各辺に対しての属性設定を行なう。属性としては、内壁／外壁などが判別できる情報を各辺の属性として設定する。部材拾い出し手段２３は、作図手段２１、属性設定手段２２が作成したデータから必要な情報を認識し、部材引当ルール記憶部３１を検索することで、必要な部材を読み出す。例えば、メーカ区分、建築タイプ、部位としてバルコニーといった条件で検索を行なうと、必要な部材種類（品番）とその部材の数量を計算するための計算方式が読み込まれる。この場合、バルコニー領域にシート部材が必要であると定義されていた場合、計算方式及び間取り図中の各辺の寸法に従って矩形の面積、外周などを計算し、部材の数量を算出する。このとき、グループ化された各辺の長さが面積、外周の計算に用いられる。部材引当ルール記憶部３１は、部材引当の条件（メーカ区分、建築タイプ、部位など）とその条件に対応した部材の情報（計算方法、係数など）を記憶している。部材引当ルール記憶部３１の検索結果、検索条件に一致するものがない場合にはメッセージを出力装置４に表示し、検索された場合には、部材コードと数量をＣＳＶ形式で出力を行なう。
【００２３】
図２において、ステップＡ１で、メーカ区分、建築タイプなどの情報を入力し、ステップＡ２で、これから作図を行なう部位の指定を行う。部位の指定においては、バルコニーや屋上などの指定を行なう。また、ステップＡ３で建築物の間取り図を参照しながら図形を作図し、作図した各辺に対して属性の設定を行なう（ステップＡ４）。
【００２４】
部材拾い出し手段２３では、ステップＡ１で入力したメーカ区分、建築タイプ、ステップＡ２で入力した部位を検索キーとして、部材引当ルール記憶部３１の検索を行なう（ステップＡ５）。検索結果が読み込まれ、部材コード（品番）と計算方法、条件に従ってそれぞれの処理を行なう。計算方法には面積、長さなどがあり、ステップＡ３で入力した図形情報より算出を行なう。また、ステップＡ４で入力した属性を条件とし、対象の絞込みなどを行なう。これらの結果として、部材コードと数量をＣＳＶ形式で出力する（ステップＡ８）。但し、部材引当ルール記憶部３１の検索結果で何も読み込まれなかった場合には、出力装置４にメッセージ表示する（ステップＡ７）。
【００２５】
次に、本発明の他の実施形態について詳細に説明する。
【００２６】
図３において、ステップＢ１で、メーカ区分、建築タイプなどの情報を入力する。ステップＢ２、Ｂ３では、建築物の間取図（紙／電子データ）が電子データの場合、電子データの取り込みを行なう。但し、電子データがＣＡＤで読み込み可能なフォーマットであることが前提条件である。電子データ以外の場合には、ステップＢ４で、これから作図を行なう部位の指定を行う。ステップＢ５で建築物の間取り図を参照しながら図形を作図し、作図した各辺に対して属性の設定を行なう（ステップＢ６）。
【００２７】
電子データで読み込み可能な場合、ステップＢ７で図形を認識し、図形の作図と属性の設定を行なう。
【００２８】
部材拾い出し手段２３では、ステップＢ１で入力したメーカ区分、建築タイプ、部位を検索キーとして、部材引当ルール記憶部３１の検索を行なう（ステップＢ８）。検索結果が読み込まれ、部材コード（品番）と計算方法、条件に従ってそれぞれの処理を行なう。計算方法には面積、長さなどがあり、ステップＢ３で入力した図形情報またはステップＢ７で認識した図形情報より算出を行なう。また、ステップＢ４で入力した属性またはステップＢ７で認識した属性を条件とし、対象の絞込みなどを行なう。これらの結果として、部材コードと数量をＣＳＶ形式で出力する（ステップＢ１１）。但し、部材引当ルール記憶部３１の検索結果で何も読み込まれなかった場合には、出力装置４にメッセージ表示する（ステップＢ１０）。
【００２９】
なお、作図手段２１、属性設定手段２２、部材拾い出し手段２３は、ハードウェアにより構成することもできるが、コンピュータがこれらの手段として機能するためのプログラムをコンピュータが読み込んで実行することによっても実現することができるし、ハードウェアとプログラムを協働させて実現することもできる。
【産業上の利用可能性】
【００３０】
本発明は、建築物の施工業者が建設に必要な部材を見積もることに利用することができる。
【図面の簡単な説明】
【００３１】
【図１】本発明の実施形態による部材手配支援装置の構成を示すブロック図である。
【図２】本発明の実施形態による部材手配支援装置の動作を示すフローチャートである。
【図３】本発明の他の実施形態による部材手配支援装置の動作を示すフローチャートである。
【図４】本発明の実施形態による部材引当ルールテーブルの構成を示す図である。
【符号の説明】
【００３２】
１  入力装置
２  データ処理装置
３  記憶装置
４  出力装置
２１  作図手段
２２  属性設定手段
２３  部材拾い出し手段
３１  部材引当ルール記憶部
【図１】
2005056248.tif 000003
【図２】
2005056248.tif 000004
【図３】
2005056248.tif 000005
【図４】
2005056248.tif 000006